(57)【要約】【課題】碍管内面が焼損を防止して絶縁信頼性を向上させると共に、使用寿命を伸ばすことのできる碍子形ガス遮断器を提供する。【解決手段】碍子形ガス遮断器は、固定側接点１２及び可動側接点１４と、遮断時に絶縁ガスを圧縮するガス圧縮手段１６と、絶縁ノズル１７とを備えるパッファ形遮断部１１を、碍管１０内に配置する。碍管１０の上下に引出端子１８、１９を取り付け、引出端子１８はパッファ形遮断部１１の固定側接点１２と接続し、引出端子１９は可動側接点１４と接続する。碍管は、架台１上に樹立する支持碍子３に支持させる。パッファ形遮断部１１は、可動側に中空で略円錐状の整流カバー２０を設けており、この整流カバー２０によって高温ガスを碍管１０の軸方向に案内する。整流カバー２０は、少なくとも二つのカバー単位から形成し、しかも内面に高温ガスを旋回させて案内する案内手段２１を形成している。【選択図】図１
2009277558.tif 000002
【特許請求の範囲】
【請求項１】
碍管内に、固定側接点及び可動側接点と、遮断時に絶縁ガスを圧縮するガス圧縮手段と、絶縁ノズルとを備えるパッファ形遮断部を配置し、前記碍管の上部にパッファ形遮断部の固定側接点と接続する引出端子を取り付けると共に、前記碍管の下部にパッファ形遮断部の可動側接点と接続する引出端子を取り付け、かつ前記碍管を架台上に樹立した支持碍子に支持させた碍子形ガス遮断器において、前記パッファ形遮断部の可動側に中空で略円錐状の整流カバーを設け、前記整流カバーにより高温ガスを碍管の軸方向に案内するようにしたことを特徴とする碍子形ガス遮断器。
【請求項２】
請求項１において、前記整流カバーは少なくとも二つのカバー単位から形成したことを特徴とする碍子形ガス遮断器。
【請求項３】
請求項１又は２において、前記整流カバーは内面に高温ガスを旋回させて案内する案内手段を形成したことを特徴とする碍子形ガス遮断器。
【発明の詳細な説明】
【技術分野】
【０００１】
本発明は碍子形ガス遮断器に係り、特に絶縁ガスを封入する碍管内に遮断部を配置した碍子形ガス遮断器に関する。
【背景技術】
【０００２】
通常、ガス遮断器は発変電所に据付け、電力系統に接続して使用する。ガス遮断器としては、固定側及び可動側の接点部等からなる遮断部を金属タンク内に配置し、絶縁性能の良好なＳＦ６等の絶縁ガスを充填して構成するタンク形遮断器と、特許文献１に記載されているように、遮断部を磁器製等の碍管内に配置し、絶縁ガスを充填して構成する碍子形ガス遮断器とがある。
【０００３】
碍子形ガス遮断器は、操作機構等を設ける架台上に支持碍子を樹立し、この支持碍子に内部に遮断部を配置する碍管を固定し、碍管の上下の端部に遮断部と接続する引出端子を設けて構成するものである。このため、碍子形ガス遮断器は高電圧用ともなると高さ４〜５ｍになり、支持碍管で十分な絶縁距離を確保できることから、特に地震の発生の少ない場所に適宜使用されている。
【０００４】
そして、碍子形ガス遮断器においても、固定側及び可動側の各接点と、遮断時に絶縁ガスを圧縮するシリンダーとピストンのガス圧縮手段と、ノズル等とを備え、遮断の際各接点間に発生したアークに対して圧縮した絶縁ガスを吹き付ける形式の所謂パッファ形遮断部を用いている。
【０００５】
このため、碍子形ガス遮断器では、碍管内に配置したパッファ形遮断部の可動側接点が遮断動作したとき、固定側及び可動側接点間のアークに対して吹き付けた絶縁ガスが、アークによって高温となるから、この高温ガスを碍管の内部に吹き出し、速やかに排出する構造にして遮断性能を損なわないようにしている。
【０００６】
【特許文献１】特開２００３−３２３８３６号公報
【発明の開示】
【発明が解決しようとする課題】
【０００７】
上記のようにパッファ形遮断部を碍管内に内蔵させた碍子形ガス遮断器は、遮断動作の際に高温ガスが碍管の内面に直接吹き出す構造となっているため、碍管内面を焼損させてしまうことがある。碍子形ガス遮断器は、長期間にわたって使用されるから、遮断動作の度に碍管内面が焼損されて炭化物が付着してしまい、この焼損部分が大きくなると絶縁性能を低下させ、遮断器の使用寿命を短くしてしまう恐れがある。
【０００８】
特に、碍子形ガス遮断器は、小型軽量化してより耐震性を向上させるため、直径の小さな碍管を用いることが多くなっており、この場合には遮断部と碍管内面の距離が近くなるため、より一層高温ガスで碍管内面を損傷させ、信頼性を低下させる問題がある。
【０００９】
本発明の目的は、碍管内面の焼損を防止して絶縁信頼性を向上させると共に、使用寿命を伸ばすことのできる碍子形ガス遮断器を提供することにある。
【課題を解決するための手段】
【００１０】
本発明の碍子形ガス遮断器は、碍管内に、固定側接点及び可動側接点と、遮断時に絶縁ガスを圧縮するガス圧縮手段と、絶縁ノズルとを備えるパッファ形遮断部を配置し、前記碍管の上部にパッファ形遮断部の固定側接点と接続する引出端子を取り付けると共に、前記碍管の下部にパッファ形遮断部の可動側接点と接続する引出端子を取り付け、かつ前記碍管を架台上に樹立した支持碍子に支持させて構成する際に、前記パッファ形遮断部の可動側に中空で略円錐状の整流カバーを設け、前記整流カバーにより高温ガスを碍管の軸方向に案内するようにしたことを特徴としている。
【００１１】
好ましくは、前記整流カバーは少なくとも二つのカバー単位から形成したことを特徴としており、また好ましくは、前記整流カバーは内面に高温ガスを旋回させて案内する案内手段を形成したことを特徴としている。
【発明の効果】
【００１２】
本発明のように碍子形ガス遮断器を構成すれば、パッファ形遮断部の可動側に、中空で略円錐状に形成した整流カバーを設ける簡単な構造で、パッファ形遮断部の可動側に流れ込む高温ガスを、碍管の軸方向に向けて案内して排出できる。このため、高温ガスが碍管の内面に向けて直接吹き付けることが全くなくなるので、碍管の内面を焼損させることがなく、碍子形ガス遮断器の絶縁信頼性を向上できるし、使用寿命を伸ばすことができる。
【発明を実施するための最良の形態】
【００１３】
本発明の碍子形ガス遮断器は、碍管内に、固定側接点及び可動側接点と、遮断時に絶縁ガスを圧縮するガス圧縮手段と、絶縁ノズルとを備えるパッファ形遮断部を配置する。碍管の上部にパッファ形遮断部の固定側接点と接続する引出端子を取り付けると共に、碍管の下部にパッファ形遮断部の可動側接点と接続する引出端子を取り付け、かつ碍管を架台上に樹立した支持碍子に支持させている。パッファ形遮断部の可動側に、中空で略円錐状の整流カバーを設けており、この整流カバーで高温ガスを碍管の軸方向に案内する。
【実施例１】
【００１４】
以下、本発明の碍子形ガス遮断器の実施例について、図１から図５を用いて説明する。碍子形ガス遮断器は、図１に示す如く操作機構２を設ける架台１上に、支持碍管３を樹立しており、この支持碍子３の上端にパッファ形遮断部１１を配置する碍管１０を固定し、碍管１０内にＳＦ６等の絶縁ガスを充填している。
【００１５】
碍管１０は、その上端に引出端子１８を取り付け、また下端に引出端子１９を取り付けており、これらのうち引出端子１８はパッファ形遮断部１１の固定側に接続し、引出端子１９はパッファ形遮断部１１の可動側に接続している。
【００１６】
パッファ形遮断部１１は、この固定側接点１２が固定側導体１３を介して引出端子１８に連なっており、また操作機構２に連結する絶縁操作ロッド４で駆動操作される可動側接点１４が、可動側導体１５を介して引出端子１９に連なっている。
【００１７】
上記のほかパッファ形遮断部１１には、遮断時に可動側接点１４と共に動作して絶縁ガスを圧縮するシリンダとピストンを備えたガス圧縮手段１６となる所謂パッファ装置や、遮断の際に各接点１２、１４間生じたアークに対して圧縮した絶縁ガスを吹き付ける絶縁ノズル１７を備えており、吹き付け後の高温ガスは可動側接点１４内を通して速やかに排出する。
【００１８】
本発明のパッファ形遮断部１１では、可動側を取り囲むように金属製の整流カバー２０を設け、高温ガスを碍管１０の軸方向に向けて排出できるようにしている。図２及び図３を用いて説明すると、ガス圧縮手段１６のシリンダ１６Ｂに係合するピストン１６Ａを先端に固定する可動側導体１５に、中空で略円錐状に形成した整流カバー２０を取り付けている。
【００１９】
より具体的には、整流カバー２０を取り付けるため、中空の可動側接点１４に形成したガス排出口１４Ａ、及び可動側導体１５に形成したガス排出口１５Ａとが一致したとき、高温ガスが支障なく排出できるようにするため、可動側導体１５の適切な位置に、少なくとも２つの取付座２３を固定している。
【００２０】
そして、可動側導体１５の各取付座２３に、整流カバー２０を固着手段となるボルト２４等によって、着脱可能に設けてガス排出口１５Ａを覆うようにし、遮断時にパッファ形遮断部１１の可動側接点１４が下方に動いたとき排出される高温ガスを、整流カバー２０で碍管１０の軸方向に案内する。
【００２１】
整流カバー２０は、図４及び図５（ａ）、（ｂ）に示すように、金属材料を用いて中空の略円筒状に形成し、しかも整流カバー２０の内面には、高温ガスの案内手段２１となる螺旋状溝或いは螺旋状突起を形成し、案内手段２１により高温ガスを回転させて速やかに排出できる構造にしている。高温ガスの流れとしては、案内手段２１を設けることにより、ガスの流れを同じ方向とすることができ、案内手段２１を設けない場合と比較して、より抵抗の少ない状態で高温ガスを排出できる。
【００２２】
この整流カバー２０は、図４のように例えば製作の容易な鋳物によって少なくとも二つのカバー単位２０Ａ、２０Ｂに分割して形成することができる。この場合、各カバー単位２０Ａ、２０Ｂを組み合せる整流カバー２０は、単純な円錐形状であり、しかも寸法も厳密に作る必要がないから、容易にかつ経済的に製作することができる。
【００２３】
これらカバー単位２０Ａ、２０Ｂを組み合せる略円筒状の整流カバー２０を、パッファ形遮断部１１の可動側に設けるようにすれば、取り付けも簡単であり、また遮断部の保守点検も容易に行える。なお、中空で略円錐状の整流カバー２０は、可動側導体１５への取り付けに支障がない場合には、整流カバー２０を一体に形成して使用することもできる。
【００２４】
可動側導体１５に整流カバー２０を取り付けると、図３の如く中空の可動側接点１４が移動してガス排出口１４Ａと１５Ａが一致したときから、排出される高温ガスを二点鎖線の矢印如く碍管１０の軸方向（図中の下方）に案内するようになるので、高温ガスが直接碍管１０の内面に向かうのを防止することができる。このため、碍管１０の内面が高温ガスによって損傷されることがなくなるので、碍子形ガス遮断器の絶縁信頼性を向上できて、使用寿命も伸ばすことができる。
【図面の簡単な説明】
【００２５】
【図１】本発明の一実施例である碍子形ガス遮断器を示す概略縦断面図である。
【図２】図１の要部を拡大して示す概略縦断面図である。
【図３】図２のＡ−Ａ線の概略縦断面図である。
【図４】本発明の碍子形ガス遮断器に用いる整流カバーを示す斜視図である。
【図５】（ａ）は図４の整流カバーの正面図、（ｂ）は（ａ）のＢ−Ｂ線の概略縦断面図である。
【符号の説明】
【００２６】
１…架台、３…支持碍子、１０…碍管、１１…パッファ形遮断部、１２…固定側接点、１３…固定側導体、１４…可動側接点、１５…可動側導体、１４Ａ、１５Ａ…ガス排気口、１６…ガス圧縮手段、１７…絶縁ノズル、１８、１９…引出端子、２０…整流カバー、２０Ａ、２０Ｂ…カバー単位、２１…案内手段。
【図１】
2009277558.tif 000003
【図２】
2009277558.tif 000004
【図３】
2009277558.tif 000005
【図４】
2009277558.tif 000006
【図５】
2009277558.tif 000007